(57)【要約】【課題】      画像形成装置本体からの定着器の引き出し作業を行う際、最初に一定量だけ定着器を安全、確実且つ容易に移動させるようにすること。【解決手段】  画像形成装置本体Ｕ０に固定された固定部材Ｓ１ｄに一端部６ｂが当接し且つ他端部６ｃに作業者が手でつかむ取っ手部６ｃが設けられ、前記一端部６ｂと他端部６ｃとの間の中間部が前記定着器Ｆに回転可能に支持された回動レバー６であって、前記一端部６ｂが前記固定部材Ｓ１ｄを画像形成装置本体Ｕ０の内側に押圧するように前記回動レバー６を回転させたときに、てこの作用により前記定着器Ｆが画像形成装置本体Ｕ０の外側に移動するように配置された前記回動レバー６を有する画像形成装置。【選択図】    図７
2006003714.tif 000002
【特許請求の範囲】
【請求項１】
次の構成要件（Ａ01）〜（Ａ03）を備えた画像形成装置、
（Ａ01）画像形成装置本体に設けられた定着器支持部材、
（Ａ02）互いに回転しながら圧接する一対の定着用回転部材とそれらを回転可能に支持する定着フレームとを有し、前記一対の定着用回転部材の圧接領域により形成される定着ニップを通過する記録用シート上の未定着トナー像を加熱定着する定着器であって前記定着器支持部材上に支持される定着器、
（Ａ03）前記画像形成装置本体に固定された固定部材に一端部が当接し且つ他端部に作業者が手でつかむ取っ手部が設けられ、前記一端部と他端部との間の中間部が前記定着器に回転可能に支持された回動レバーであって、前記一端部が前記固定部材を画像形成装置本体の内側に押圧するように前記回動レバーを回転させたときに、てこの作用により前記定着器が画像形成装置本体の外側に移動するように配置された前記回動レバー。
【請求項２】
次の構成要件（Ａ01），（Ａ02），（Ａ04）を備えた画像形成装置、
（Ａ01）画像形成装置本体に設けられた定着器支持部材、
（Ａ02）互いに回転しながら圧接する一対の定着用回転部材とそれらを回転可能に支持する定着フレームとを有し、前記一対の定着用回転部材の圧接領域により形成される定着ニップを通過する記録用シート上の未定着トナー像を加熱定着する定着器であって前記定着器支持部材上に支持される定着器、
（Ａ04）前記定着器に設けた係合部に一端部が当接し且つ他端部に作業者が手でつかむ取っ手部が設けられ、前記一端部と他端部との間の中間部が前記画像形成装置本体に固定された回動レバー支持部材に回転可能に支持された回動レバーであって、前記一端部が前記定着器の係合部材を画像形成装置本体の外側に押圧するように回転可能で且つ回転時にてこの作用により前記定着器を画像形成装置本体の外側に向かって移動させるように配置された前記回動レバー。
【発明の詳細な説明】
【技術分野】
【０００１】
本発明は、画像形成装置本体と前記画像形成装置本体に対して着脱可能な定着器とを備えた複写機、プリンタ、ファクシミリ等の画像形成装置に関し、特に、画像形成装置本体に対する定着器の着脱を容易に行える画像形成装置に関する。
【背景技術】
【０００２】
従来の画像形成装置の定着器は、ジャム（紙詰まり）や故障等のトラブルが発生した時を想定し、修復作業簡易化のために複写機本体から着脱可能に構成されたものが多い。しかし、トラブル発生時に定着装置を引き抜く際、力の加減が分からずに強く引き抜いてしまった場合など、思わぬ事故や定着器の破壊につながる事故等が発生することがあった。
【０００３】
前記問題点を解決するための画像形成装置としては次の技術が従来公知である。
（１）特許文献１（特開平０５−０１９６５８号公報）記載の技術
この公報には、引き抜き可能な定着器において所定以上の引き抜きを阻止するストッパを備え、ストッパを解除することにより、定着器の引き出しを可能とする技術が記載されている。
【特許文献１】特開平０５−０１９６５８号公報（公報段落番号「００２５」、第６図）
【発明の開示】
【発明が解決しようとする課題】
【０００４】
（特許文献１記載の技術の問題点）
前記特許文献１記載の従来技術では、定着器の変形等により、強い引き抜き力が必要な際に、力の加減が分からないという問題点があった。また、激しく引き抜いてしまった時、ストッパへの衝突による定着器またはストッパ等の破壊、ストッパ機構設置によるコストアップ、装置内スペースの消費などの問題点があった。
【０００５】
本発明は、前述の事情に鑑み、次の記載内容（Ｏ01），（Ｏ02）を技術的課題とする。
（Ｏ01）画像形成装置本体からの定着器の引き出し作業を確実且つ安全に容易に行えるようにすること。
（Ｏ02）画像形成装置本体からの定着器の引き出し作業を行う際、最初に一定量だけ定着器を安全、確実且つ容易に移動させるようにすること。
【課題を解決するための手段】
【０００６】
次に、前記課題を解決した本発明を説明するが、本発明の要素には、後述の実施の形態の要素との対応を容易にするため、実施の形態の要素の符号をカッコで囲んだもの（カッコ付き符号）を付記する。また、本発明を後述の実施の形態の符号と対応させて説明する理由は、本発明の理解を容易にするためであり、本発明の範囲を実施の形態に限定するためではない。
【０００７】
（第１発明）
前記課題を解決するために、第１発明の画像形成装置は、次の構成要件（Ａ01）〜（Ａ03）を備えたことを特徴とする。
（Ａ01）画像形成装置本体（Ｕ０）に設けられた定着器支持部材（Ｓ１）、
（Ａ02）互いに回転しながら圧接する一対の定着用回転部材（Ｆｈ，Ｆｐ）とそれらを回転可能に支持する定着フレーム（１）とを有し、前記一対の定着用回転部材（Ｆｈ，Ｆｐ）の圧接領域により形成される定着ニップ（Ｑ２）を通過する記録用シート（Ｓ）上の未定着トナー像を加熱定着する定着器（Ｆ）であって前記定着器支持部材（Ｓ１）上に支持される定着器（Ｆ）、
（Ａ03）前記画像形成装置本体（Ｕ０）に固定された固定部材（Ｓ１ｄ）に一端部（６ｂ）が当接し且つ他端部（６ｃ）に作業者が手でつかむ取っ手部（６ｃ）が設けられ、前記一端部（６ｂ）と他端部（６ｃ）との間の中間部が前記定着器（Ｆ）に回転可能に支持された回動レバー（６）であって、前記一端部（６ｂ）が前記固定部材（Ｓ１ｄ）を画像形成装置本体（Ｕ０）の内側に押圧するように前記回動レバー（６）を回転させたときに、てこの作用により前記定着器（Ｆ）が画像形成装置本体（Ｕ０）の外側に移動するように配置された前記回動レバー（６）。
【０００８】
（第１発明の作用）
前記構成要件（Ａ01）〜（Ａ03）を備えた第１発明の画像形成装置では、定着器（Ｆ）は、画像形成装置本体（Ｕ０）に設けられた定着器支持部材（Ｓ１）上に支持される。
互いに回転しながら圧接する一対の定着用回転部材（Ｆｈ，Ｆｐ）とそれらを回転可能に支持する定着フレーム（１）とを有する前記定着器（Ｆ）は、前記一対の定着用回転部材（Ｆｈ，Ｆｐ）の圧接領域により形成される定着ニップ（Ｑ２）を通過する記録用シート（Ｓ）上の未定着トナー像を加熱定着する。
前記画像形成装置本体（Ｕ０）に固定された固定部材（Ｓ１ｄ）に一端部（６ｂ）が当接し且つ他端部（６ｃ）に作業者が手でつかむ取っ手部（６ｃ）が設けられた回動レバー（６）は、前記一端部（６ｂ）と他端部（６ｃ）との間の中間部が前記定着器（Ｆ）に回転可能に支持される。前記回動レバー（６）は、前記一端部（６ｂ）が前記固定部材（Ｓ１ｄ）を画像形成装置本体（Ｕ０）の内側に押圧するように回転したときに、てこの作用により前記定着器（Ｆ）を画像形成装置本体（Ｕ０）の外側に所定量（前記一端部（６ｂ）の移動量）移動させる。
したがって、前記回動レバー（６）を回転させることにより、定着器（Ｆ）を画像形成装置本体（Ｕ０）の外側に所定量だけ容易に移動させることができる。このため、定着器（Ｆ）の移動量を規制するためのストッパ等を設ける必要がない。
【０００９】
（第２発明）
また、前記課題を解決するために、第２発明の画像形成装置は、次の構成要件（Ａ01），（Ａ02），（Ａ04）を備えたことを特徴とする。
（Ａ01）画像形成装置本体（Ｕ０）に設けられた定着器支持部材（Ｓ１）、
（Ａ02）互いに回転しながら圧接する一対の定着用回転部材（Ｆｈ，Ｆｐ）とそれらを回転可能に支持する定着フレーム（１）とを有し、前記一対の定着用回転部材（Ｆｈ，Ｆｐ）の圧接領域により形成される定着ニップ（Ｑ２）を通過する記録用シート（Ｓ）上の未定着トナー像を加熱定着する定着器（Ｆ）であって前記定着器支持部材（Ｓ１）上に支持される定着器（Ｆ）、
（Ａ04）前記定着器（Ｆ）に設けた係合部（１ｃ）に一端部（１６ｂ）が当接し且つ他端部（１６ｃ）に作業者が手でつかむ取っ手部（１６ｃ）が設けられ、前記一端部（１６ｂ）と他端部（１６ｃ）との間の中間部が前記画像形成装置本体（Ｕ０）に固定された回動レバー支持部材（Ｓ１ｅ）に回転可能に支持された回動レバー（１６）であって、前記一端部（１６ｂ）が前記定着器（Ｆ）の係合部（１ｃ）を画像形成装置本体（Ｕ０）の外側に押圧するように回転可能で且つ回転時にてこの作用により前記定着器（Ｆ）を画像形成装置本体（Ｕ０）の外側に向かって移動させるように配置された前記回動レバー（１６）。
【００１０】
（第２発明の作用）
前記構成要件（Ａ01），（Ａ02），（Ａ04）を備えた第２発明の画像形成装置では、定着器（Ｆ）は、画像形成装置本体（Ｕ０）に設けられた定着器支持部材（Ｓ１）上に支持される。
互いに回転しながら圧接する一対の定着用回転部材（Ｆｈ，Ｆｐ）とそれらを回転可能に支持する定着フレーム（１）とを有する前記定着器（Ｆ）は、前記一対の定着用回転部材（Ｆｈ，Ｆｐ）の圧接領域により形成される定着ニップ（Ｑ２）を通過する記録用シート（Ｓ）上の未定着トナー像を加熱定着する。
前記定着器（Ｆ）に設けた係合部（１ｃ）に一端部（１６ｂ）が当接し且つ他端部（１６ｃ）に作業者が手でつかむ取っ手部（１６ｃ）が設けられた回動レバー（１６）は、前記一端部（１６ｂ）と他端部（１６ｃ）との間の中間部が前記画像形成装置本体（Ｕ０）に固定された回動レバー支持部材（Ｓ１ｅ）に回転可能に支持される。前記回動レバー（１６）は、前記一端部（１６ｂ）が前記定着器（Ｆ）の係合部（１ｃ）を画像形成装置本体（Ｕ０）の外側に押圧するように回転したときに、前記定着器（Ｆ）を画像形成装置本体（Ｕ０）の外側に向かって所定量（前記一端部の移動量）移動させる。
したがって、前記回動レバー（１６）を回転させることにより、定着器（Ｆ）を画像形成装置本体（Ｕ０）の外側に所内量だけ容易に移動させることができる。このため、定着器（Ｆ）の移動量を規制するためのストッパ等を設ける必要がない。
【発明の効果】
【００１１】
前述の本発明は、下記の効果（Ｅ01）〜（Ｅ03）を奏する。
（Ｅ01）テコの作用により画像形成装置本体からの定着器の引き出し作業を確実且つ安全に容易に行うことができる。
（Ｅ02）テコを利用して定着器の引き出し作業を行うので、作業者が弱い力でも安定して定着器の引き出し作業を行うことができる。
（Ｅ03）テコを利用して定着器を引き出す場合に、テコによる定着器の引き出し量を一定にすることができるので、ストッパ機構を設置する必要性がなくなる。その場合、ストッパ機構設置によるコストアップと装置内スペースの浪費を防止することができる。
【発明を実施するための最良の形態】
【００１２】
次に図面を参照しながら、本発明の実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１３】
図１は本発明の実施例１の定着器を備えた画像形成装置の全体斜視図である。
図２は図１に示す画像形成装置の縦断面図である。
図３は前記図２に示すシート反転装置および前記シート反転装置が装着される画像形成装置本体の左側上部のカバーを開放位置（定着器取出位置）に回動した状態を示す図である。
図１〜図３において、実施例１の定着器を備えた画像形成装置Ｕは、画像形成装置本体としてのプリンタＵ０と、前記プリンタＵ０に着脱可能に装着されるオプションのシート反転装置Ｕ１とを備えている。前記プリンタＵ０上面には第１排紙トレイＴＲｈが設けられている。
前記プリンタＵ０上面には、ユーザが入力操作するＵＩ（ユーザインタフェース）が設けられており、前記ＵＩには電源スイッチ等が設けられている。
【００１４】
プリンタＵ０の左側の側壁には下部ドアカバーＤ１（図１〜図３参照）および上部ドアカバーＤ２（図２、図３参照）が設けられている。前記下部ドアカバーＤ１および上部ドアカバーＤ２は図２に示す通常位置と図３に示す開放位置（定着器取出位置）との間で回動可能である。
前記上部ドアカバーＤ２の外側面にはオプションのシート反転装置Ｕ１が着脱可能に装着されている。前記シート反転装置Ｕ１は、図２に示す通常位置と図３に示す開放位置との間で回動可能である。前記シート反転装置Ｕ１および上部ドアカバーＤ２が図３に示す開放位置に回動した状態で、プリンタ（画像形成装置本体）Ｕ０の定着器（後述）の着脱を行うことが可能である。
なお、シート反転装置Ｕ１については後述する。
【００１５】
ホストコンピュータＨＣから送信された画像データやプリンタ制御コマンド等の電気信号は、プリンタＵ０のコントローラＣに入力される。コントローラＣはマイコンおよび記憶装置等により構成されている。コントローラＣは、入力される画像データを一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、レーザ駆動回路ＤＬと、後述の現像ロールＧａ、転写装置としての転写ロールＴＲにバイアス電圧を印加する電源回路Ｅ等の動作はコントローラＣにより制御される。
【００１６】
感光体（像担持体）ＰＲはその軸ＰＲａと一体的に矢印方向（図２で時計方向）に回転しており、その表面は、帯電ロール（帯電部材）ＣＲにより一様に帯電された後、潜像書込位置において前記ＲＯＳ（潜像形成装置）のレーザビームＬにより露光走査されて静電潜像が形成される。
前記静電潜像が形成された感光体ＰＲ表面は回転移動して順次、現像領域（現像ロールＧａと対向する領域）、転写領域（転写ロールＴＲと対向する領域、すなわち、画像記録領域）Ｑ１を通過する。
現像装置Ｇは、現像ロールＧａ、現像剤攪拌部材Ｇｂ，Ｇｃ，Ｇｄを回転可能に支持し且つ現像剤を収容する現像容器Ｖを有しており、前記現像領域を通過する感光体ＰＲ上の静電潜像をトナー像に現像する。
前記感光体ＰＲ、帯電ロールＣＲ、ＲＯＳ（潜像形成装置）、現像装置Ｇにより、感光体ＰＲ上にトナー像（画像）を形成するトナー像形成装置（ＰＲ＋ＣＲ＋ＲＯＳ＋Ｇ）が形成されている。
【００１７】
複数の給紙トレイＴＲ１〜ＴＲ４（図１、図２参照）は、前記転写領域Ｑ１に搬送するための画像記録用の記録用シートＳを収容しており、前記各給紙トレイＴＲ１〜ＴＲ４はプリンタＵ０の前面に形成された給紙トレイ挿入口からプリンタＵ０内部のトレイ収容空間に出入可能である。
図２において、プリンタＵ０の下部内部（トレイ収容空間）には、給紙トレイ挿入口から出入（挿入および抜出）される給紙トレイＴＲ１〜ＴＲ４の左右両端部を移動可能に支持するレール（トレイ支持部材）ＲＬ１，ＲＬ１が配置されており、左右一対のレールＲＬ１，ＲＬ１により各給紙トレイＴＲ１〜ＴＲ４は前後方向に移動可能に支持されている。
【００１８】
図２において、前記各給紙トレイＴＲ１〜ＴＲ４の給紙側上部には、ピックアップロールＲｐと、フィードロールおよびリタードロールを有するさばきロールＲｓとを有する給紙装置Ｋが設けられている。
【００１９】
給紙装置ＫのピックアップロールＲｐにより取出された記録用シートＳは、さばきロールＲｓにより１枚ずつ分離されて、シート搬送装置ＳＨの本体シート搬送路ＳＨ１に給紙される。給紙された記録用シートＳはシート搬送装置ＳＨの複数のシート搬送ロールＲａにより搬送され、レジロールＲｒ（図２参照）により所定のタイミングで、前記転写領域Ｑ１に搬送される。
また、プリンタ（画像形成装置本体）Ｕ０には、前記本体シート搬送路ＳＨ１に合流する手差トレイ用シート搬送路ＳＨ２および反転シート搬送路ＳＨ３が設けられている。
【００２０】
図２において、前記転写領域Ｑ１には転写バイアスが印加される転写ロールＴＲが配置されている。この転写ロールＴＲは転写領域Ｑ１において前記感光体ＰＲに圧接しており、転写領域Ｑ１を通過する記録用シートＳに感光体ＰＲ上のトナー像を転写する。なお、感光体ＰＲ上に形成されたトナー像（画像）を記録用シート上に転写（記録）する転写装置は、本実施例１のように転写ロールＴＲのみにより構成する代わりに、感光体上のトナー像を１次転写部材により中間転写体に１次転写し前記中間転写体上のトナー像を２次転写部材により記録用シートに２次転写する構成を採用したり、コロトロンのような放電式の転写部材により構成したり、することが可能である。
【００２１】
前記感光体ＰＲ、帯電ロールＣＲ、ＲＯＳ（潜像形成装置）、現像装置Ｇにより構成されるトナー像形成装置（ＰＲ＋ＣＲ＋ＲＯＳ＋Ｇ）と、転写装置としての転写ロールＴＲとにより、記録用シートＳに画像（トナー像）を記録する画像記録部材（ＰＲ＋ＣＲ＋ＲＯＳ＋Ｇ＋ＴＲ）が構成されている。
図２において、前記搬送ロールＲａの従動ロールおよび転写ロールＴＲはドアカバーＤ２に支持されており、ドアカバーＤ２の開閉時にはドアカバーＤ２と一体的に移動する。
感光体ＰＲ表面のトナー像が転写領域Ｑ１において記録用シートＳに転写された後、前記感光体ＰＲは、クリーナＣＬ１により表面に付着した残留トナーが回収される。前記クリーナＣＬ１により表面に付着した残留トナーが回収された感光体ＰＲは、前記帯電ロールＣＲにより帯電される。
【００２２】
前記転写領域Ｑ１において未定着のトナー像が転写された記録用シートＳは、トナー像が未定着の状態で定着器Ｆに搬送される。定着器Ｆは互いに圧接した状態で回転する一対の定着ロールＦｈ，Ｆｐを有している。前記記録用シートＳ上の未定着トナー像は、前記一対の定着ロールＦｈ，Ｆｐの圧接領域である定着ニップＱ２を通過する際に加熱定着される。定着トナー像が形成された記録用シートＳは、その後、シートガイドにガイドされて排紙ロールＲ１に搬送される。記録用シートＳは、前記排紙ロールＲ１によりシート排出口Ｈａ（図２，図３参照）から排紙トレイ（第１排紙トレイ）ＴＲｈに排出される。
【００２３】
プリンタＵ０内部には前記シート排出口Ｈａに接続された本体シート反転路ＳＨ４が設けられている。
前記オプションのシート反転装置Ｕ１は、その内部にオプションシート反転路ＳＨ５を有しており、オプションシート反転路ＳＨ５の上流端は、前記本体シート反転路ＳＨ４の下流端に接続している。前記オプションシート反転路ＳＨ５に搬送された記録用シートＳは、前記反転シート搬送路ＳＨ３、前記本体シート搬送路ＳＨ１に順次搬送され、さらに、シート搬送ロールＲａ、レジロールＲｒ等により前記転写領域Ｑ１に搬送される。
前記本体シート反転路ＳＨ４、オプションシート反転路ＳＨ５、および前記反転シート搬送路ＳＨ３により、シート反転路（ＳＨ３＋ＳＨ４＋ＳＨ５）が構成されている。
【００２４】
前記プリンタ（画像形成装置本体）Ｕ０に着脱可能なシート反転装置Ｕ１（オプション装置）の下部には、手差トレイＴＲ0と、前記手差トレイＴＲ0から前記手差トレイ用シート搬送路ＳＨ２に記録用シートを搬送するためのオプション手差用シート搬送路ＳＨ６が設けられている。手差トレイＴＲ0から給紙されたシートＳは、オプション手差用シート搬送路ＳＨ６、前記手差トレイ用シート搬送路ＳＨ２から、前記本体シート搬送路ＳＨ１に搬送され、前記本体シート搬送路ＳＨ１に沿って配置されたシート搬送ロールＲａ、レジロールＲｒにより前記転写領域Ｑ１に搬送される。
また、前記シート反転装置Ｕ１には、前記オプションシート反転路ＳＨ５に接続するオプション排紙トレイ（第２排紙トレイ）ＴＲh1が設けられている。前記オプション排紙トレイＴＲh1と前記オプションシート反転路ＳＨ５との間にオプションシート排出路ＳＨ７が設けられている。オプションシート排出路ＳＨ７を搬送された記録用シートは、シート排出口Ｈｂから前記オプション排紙トレイＴＲh1に排出される。
【００２５】
（定着器）
図４は定着器の全体斜視図である。
図５は前記図４に示す定着器の横断面図で、前記図４のＶ−Ｖ線断面図である。
図４、図５において、前記定着器Ｆは、前記一対の定着ロールＦｈ，Ｆｐと、前記一対の定着ロールＦｈ，Ｆｐを互いに圧接した状態で回転可能に支持する定着フレーム１とを有している。前記定着フレーム１には、下部にシート搬入口１ａが形成され、上部にシート排出口１ｂが形成されている。
前記定着フレーム１は加熱ロールＦｈおよび加圧ロールＦｐを回転可能に支持するフレーム本体２と、前記フレーム本体２に着脱可能に連結される着脱フレーム３とを有している。
フレーム本体２の上面にはシートガイド兼用の複数の放熱フィン２ａが設けられている。前記フレーム本体２に着脱可能な前記着脱フレーム３は、加圧ロールＦｐの軸方向の中央部外周を囲むように配置される。着脱フレーム３の上面にはシートガイド兼用の複数の放熱フィン３ａが設けられている。
【００２６】
図６は画像形成装置本体の定着器支持プレートと前記定着器支持プレート上に支持された定着器を示す側面図で、前記図３の矢印ＶＩから見た図である。
図７は前記図６のＶII−ＶII線断面拡大図で、定着器に設けた回動レバーの平面形状を示す図である。
図５〜図７において、プリンタ（画像形成装置本体）Ｕ０の定着器支持プレート（定着器支持部材）Ｓ１は、左右方向（Ｙ軸方向）の中央部にシート通過口Ｓ１ａが形成されており、前記シート通過口Ｓ１ａの左右両側には下方に延びるシートガイドＳ１ｂ，Ｓ１ｃが形成されている。
前記定着器支持プレートＳ１上面には、前後方向（Ｘ軸方向）の両端部に一対の固定部材Ｓ１ｄ，Ｓ１ｄおよび位置決め部材Ｓ１ｅ，Ｓ１ｅ（図７、図８参照）が固定支持されている。位置決め部材Ｓ１ｅ，Ｓ１ｅは、定着器Ｆの位置決めを行うための部材である。
【００２７】
前記定着器支持プレートＳ１上面には、定着器Ｆが左右方向（Ｙ軸方向）にスライド可能に支持される。前記定着器Ｆには、左端部の前後両端部の下部に回動レバー６，６が鉛直軸６ａ，６ａ回りに回動可能に支持されている。前記鉛直軸６ａ，６ａは定着フレーム１に支持されている。
図７において、前記回動レバー６，６は、その外端部（一端部）に前記固定部材Ｓ１ｄ，Ｓ１ｄの左端面（外端面）に当接する当接部６ｂ，６ｂが設けられており、その内端部（他端部）に作業者が手でつかむ取っ手部６ｃ，６ｃが設けられている。
【００２８】
前記回動レバー６，６を図７の矢印Ｙａ方向に回動させると、前記回動レバー６，６，の当接部６ｂ，６ｂが前記固定部材Ｓ１ｄ，Ｓ１ｄの左端面（−Ｙ端面）を右側（Ｙ側）に押圧する。この押圧力の反作用により、鉛直軸６ａ，６ａおよびそれを支持する定着フレーム１には、左方（プリンタ本体Ｕ０の外方）に移動する力が作用する。この場合、前記回動レバー６，６はテコとして作用する。
【００２９】
（実施例１の作用）
図８は画像形成装置本体に着脱可能に装着された定着器を外部に取り出す際の作用説明図であり、図８Ａは画像形成装置本体の定着器支持部材と前記定着器支持部材上に支持された定着器を示す側面図で前記図６と同じ部分を示す図、図８Ｂは前記図８ＡのＶIIIＢ−ＶIIIＢ線断面図、図８Ｃは前記図８Ｂの回動レバーを回動させて定着器を画像形成装置本体の外側方向（左側方向すなわち、−Ｙ方向）に移動させた状態を示す図である。
図８Ａ、図８Ｂにおいて、定着器Ｆに回動可能に支持された回動レバー６の外端部（一端部）に設けた当接部６ｂ（図７参照）は、前記固定部材Ｓ１ｄの左端面（外端面）に当接している。
【００３０】
その状態で、作業者が取っ手部６ｃを手でつかんで手前側（左側、すなわち、−Ｙ側）に引っ張ると、矢印Ｙａ（図８Ｂ、図８Ｃ参照）方向に回転する。
このとき、前記回動レバー６，６，の当接部６ｂ，６ｂが前記固定部材Ｓ１ｄ，Ｓ１ｄの左端面（−Ｙ端面）を右側（Ｙ側）に押圧する。この押圧力の反作用により、鉛直軸６ａ，６ａおよびそれを支持する定着器Ｆの定着フレーム１には、左方（プリンタ本体Ｕ０の外方、すなわち、−Ｙ方向）に移動する力が作用する。この場合、前記回動レバー６，６はテコとして作用する。
【００３１】
前記定着器Ｆは、前記左側（−Ｙ側）への移動により、図８Ｃに示す位置に移動する。この場合、前記回動レバー６，６の回動により、前記定着器Ｆを一定量だけ左方（外方）に移動させることができる。前記回動レバー６の回動中心となる鉛直軸６ａと前記当接部６ｂとの距離をＬ１とし、前記鉛直軸６ａと前記取っ手部６ｃとの距離をＬ２とした場合に、Ｌ１に比較してＬ２の長さを長くすると、回動レバー６を回動させるのに要する力の大きさを小さくすることができる。したがって、前記第１実施例では、前記定着器Ｆを一定量だけ外方に移動させることが容易である。
【００３２】
（実施例２）
図９は本発明の定着器の実施例２の要部説明図で、図９Ａは回動レバーが収納位置に移動した状態を示す図、図９Ｂは回動レバーが作動位置に移動した状態を示す図である。
なお、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
図９Ａにおいて回動レバー６は、鉛直軸６ａがＸ軸方向にスライド可能に貫通する長孔６ｄを有している。回動レバー６が収納位置に移動した図９Ａの状態では、鉛直軸６ａは長孔６ｄの外端を貫通している。この図９Ａの状態では回動レバー６の当接部６ｂは、固定部材Ｓ１ｄに当接せず離れている。
【００３３】
前記図９Ａの状態で、回動レバー６をＸ方向にスライド移動させると、長孔６ｄの内端が前記鉛直軸６ａに当接して図９Ｂの状態となる。この図９Ｂの状態では、回動レバー６の当接部６ｂは、固定部材Ｓ１ｄに当接している。図９Ｂの状態において矢印Ｙａ方向に回転させると、前記実施例１と同様に、定着器Ｆを一定量だけ−Ｙ側（左側）に、容易に移動させることができる。
【００３４】
（実施例３）
図１０は本発明の実施例３の説明図で前記実施例１の図８に対応する図であり、図１０Ａは画像形成装置本体の定着器支持部材と前記定着器支持部材上に支持された定着器を示す側面図、図１０Ｂは前記図１０ＡのＸＢ−ＸＢ線断面図、図１０Ｃは前記図１０Ｂの回動レバーを回動させて定着器を画像形成装置本体の外側方向（左側方向すなわち、−Ｙ方向）に移動させた状態を示す図である。
なお、この実施例３の説明において、前記実施例１の構成要素に対応する構成要素には同一の符号を付して、その詳細な説明を省略する。この実施例３は、下記の点で前記実施例１と相違しているが、他の点では前記実施例１と同様に構成されている。
【００３５】
前記図８に示す実施例１では定着器Ｆに回動可能に支持された回動レバー６を使用していたが、この図１０に示す実施例３の回動レバー１６は、定着器支持プレートＳ１の上面に固定された回動レバー支持部材Ｓ１ｅにより鉛直軸１６ａ回りに回動可能に支持されている。
図１０において、前記定着器Ｆの定着フレーム１の前後方向（Ｘ軸方向）の両端部には、係合部１ｃ，１ｃが設けられている。
前記鉛直軸１６ａ回りに回動可能に支持され回動レバー１６は、前記定着器Ｆの前記係合部１ｃに一端部１６ｂが当接し且つ他端部に作業者が手でつかむ取っ手部１６ｃが設けられている。
【００３６】
図１０Ａ、図１０Ｂにおいて、回動レバー支持部材Ｓ１ｅ，Ｓ１ｅに回動可能に支持された回動レバー１６，１６の一端部に設けた当接部１６ｂ，１６ｂは、前記定着器Ｆの係合部１ｃ，１ｃに当接している。
その状態で、作業者が取っ手部１６ｃ，１６ｃを手でつかんで手前側（左側、すなわち、−Ｙ側）に引っ張ると、矢印Ｙａ（図８Ｂ、図８Ｃ参照）方向に回転する。
このとき、前記回動レバー１６，１６，の当接部１６ｂ，１６ｂが前記係合部１ｃ，１ｃを左側（−Ｙ側）に押圧する。この押圧力により、定着器Ｆの定着フレーム１には、左方（プリンタ本体Ｕ０の外方、すなわち、−Ｙ方向）に移動する力が作用する。この場合、前記回動レバー１６，１６はテコとして作用する。
【００３７】
前記定着器Ｆは、前記左側（−Ｙ側）への移動により、図１０Ｃに示す位置に移動する。この場合、前記回動レバー１６，１６の回動により、前記定着器Ｆを一定量だけ左方（外方）に移動させることができる。したがって、前記第３実施例でも、前記定着器Ｆを一定量だけ外方に移動させることが容易である。
【産業上の利用可能性】
【００３８】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（Ｈ01）本発明は、プリンタ以外の画像形成装置（ファクシミリ、複写機、複合機等）にも適用可能である。また、本発明はカラー画像を記録する画像形成装置に適用したり、中間転写ベルト等の中間転写体を使用した画像形成装置にも適用可能である。
（Ｈ02）定着用回転部材としては、一対の定着ロール（加熱ロールおよび加圧ロール）を使用する代りに、加熱用回転部材または加圧用回転部材の一方にベルトまたはパッドを使用することも可能である。
【図面の簡単な説明】
【００３９】
【図１】図１は本発明の実施例１の定着器を備えた画像形成装置の全体斜視図である。
【図２】図２は図１に示す画像形成装置の縦断面図である。
【図３】図３は前記図２に示すシート反転装置および前記シート反転装置が装着される画像形成装置本体の左側上部のカバーを開放位置（定着器取出位置）に回動した状態を示す図である。
【図４】図４は定着器の全体斜視図である。
【図５】図５は前記図４に示す定着器の横断面図で、前記図４のＶ−Ｖ線断面図である。
【図６】図６は画像形成装置本体の定着器支持部材と前記定着器支持部材上に支持された定着器を示す側面図で、前記図３の矢印ＶＩから見た図である。
【図７】図７は前記図６のＶII−ＶII線断面拡大図で、定着器に設けた回動レバーの平面形状を示す図である。
【図８】図８は画像形成装置本体に着脱可能に装着された定着器を外部に取り出す際の作用説明図であり、図８Ａは画像形成装置本体の定着器支持部材と前記定着器支持部材上に支持された定着器を示す側面図で前記図６と同じ部分を示す図、図８Ｂは前記図８ＡのＶIIIＢ−ＶIIIＢ線断面図、図８Ｃは前記図８Ｂの回動レバーを回動させて定着器を画像形成装置本体の外側方向（左側方向すなわち、−Ｙ方向）に移動させた状態を示す図である。
【図９】図９は本発明の定着器の実施例２の要部説明図で、図９Ａは回動レバーが収納位置に移動した状態を示す図、図９Ｂは回動レバーが作動位置に移動した状態を示す図である。
【図１０】図１０は本発明の実施例３の説明図で前記実施例１の図８に対応する図であり、図１０Ａは画像形成装置本体の定着器支持部材と前記定着器支持部材上に支持された定着器を示す側面図、図１０Ｂは前記図１０ＡのＸＢ−ＸＢ線断面図、図１０Ｃは前記図１０Ｂの回動レバーを回動させて定着器を画像形成装置本体の外側方向（左側方向すなわち、−Ｙ方向）に移動させた状態を示す図である。
【符号の説明】
【００４０】
Ｆ…定着器、
Ｆｈ，Ｆｐ…一対の定着用回転部材、
Ｑ２…定着ニップ、
Ｓ…記録用シート、
Ｓ１…定着器支持部材、
Ｓ１ｄ…固定部材、
Ｓ１ｅ…回動レバー支持部材、
Ｕ０…画像形成装置本体（プリンタ）、
１…定着フレーム、
１ｃ…係合部、
６…回動レバー、
６ｂ…一端部（当接部）、
６ｃ…他端部（取っ手部）、
１６…回動レバー、
１６ｂ…一端部（当接部）、
１６ｃ…他端部（取っ手部）、
【図１】
2006003714.tif 000003
【図２】
2006003714.tif 000004
【図３】
2006003714.tif 000005
【図４】
2006003714.tif 000006
【図５】
2006003714.tif 000007
【図６】
2006003714.tif 000008
【図７】
2006003714.tif 000009
【図８】
2006003714.tif 000010
【図９】
2006003714.tif 000011
【図１０】
2006003714.tif 000012